(57)【要約】【課題】ノーマルタイプのトレイの少なくともカード部材の平面部と平行となる部分を金属製としたコネクタを提供する。【解決手段】カード部材４１の導体部を下方向にして載置されるトレイ２９と、トレイ２９が摺動可能に取付けられたソケット１１とを有するカード用コネクタ１０であって、ソケット１１は、コンタクトが配設されたハウジング１３と、ハウジング１３が覆われるカバー体２１で構成され、カバー体２１側に配置される平面部と、平面部のトレイ２９の摺動方向に沿った両端部から屈曲された一対の側面部３２、３３と、側面部の平面部とは反対側の各端部から平面部と対向し、側面部に沿って設けられカード部材４１が支持される一対の支持部３５、３６とで構成され、少なくとも平面部及び支持部３５、３６が金属材料で形成されており、ハウジング１３には、一対の支持部３５、３６が嵌り込むことができる溝部１７が形成されている。【選択図】図８
2013222629.tif 000002
【特許請求の範囲】
【請求項１】
一方の面に導体部が形成された平板状のカード部材が前記導体部を下方向にして載置されるトレイと、前記トレイが摺動可能に取り付けられたソケットとを有するカード用コネクタであって、
前記ソケットは、前記導体部と接触される接触部を有する導電性材料で形成されたコンタクトと、前記コンタクトが配設された絶縁性材料で形成されたハウジングと、前記ハウジングが覆われるカバー体で構成され、
前記トレイは、前記ソケット内に取り付けられたとき、前記カバー体側に配置される平面部と、前記平面部の前記トレイの摺動方向に沿った両端部から屈曲されて設けられた一対の側面部と、前記側面部の前記平面部とは反対側の各端部から前記平面部と対向し、前記側面部に沿って設けられ前記カード部材の一方の面が支持される一対の支持部とで構成され、少なくとも前記平面部及び前記支持部が金属材料で形成されており、
前記ハウジングには、前記一対の支持部が嵌り込むことができる溝部が形成されていることを特徴とするカード用コネクタ。
【請求項２】
前記トレイの一対の側面部は、前記カード部材が前記支持部に支持されたとき、前記カード部材と前記支持部との間にわずかな隙間が形成される厚さに形成されていることを特徴とする請求項１に記載のカード用コネクタ。
【請求項３】
前記コンタクトは、前記カード部材が前記ソケットに載置されたとき、前記カード部材を上方へ押圧する弾性力を有していることを特徴とする請求項１又は２に記載のカード用コネクタ。
【請求項４】
前記トレイの前記側面部の奥側の外面には、それぞれ第１係止部が形成され、
前記ソケット内には、前記トレイの第１係止部が係止される第２係止部が形成され、
前記トレイが前記ソケットから引き出されたとき、前記トレイの第１係止部と前記ソケットの第２係止部が係止されて前記トレイの摺動距離が規制されており、
前記トレイの手前側は、開放されていることを特徴とする請求項１〜３のいずれかに記載のカード用コネクタ。
【請求項５】
前記トレイの前記カード部材が挿入される側とは反対側には、前記カード部材の挿入が規制される壁部が形成されていることを特徴とする請求項１〜４のいずれかに記載のカード用コネクタ。
【請求項６】
前記トレイの周囲は、樹脂材料により覆われていることを特徴とする請求項１〜５のいずれかに記載のカード用コネクタ。
【請求項７】
前記トレイの前記平面部の手前側は、前記トレイに載置される前記カード部材の一部が露出される切れ込み部が形成されていることを特徴とする請求項１〜６のいずれかに記載のカード用コネクタ。
【請求項８】
前記トレイの前記カード部材が挿入される側の前記側面部の端部には、前記トレイを引き出すための取っ手部が形成されていることを特徴とする請求項１〜７のいずれかに記載のカード用コネクタ。
【発明の詳細な説明】
【技術分野】
【０００１】
本発明は、ＳＩＭ（Ｓｕｂｓｃｒｉｂｅｒ  Ｉｄｅｎｔｉｔｙ  Ｍｏｄｕｌｅ）カードやＳＤ（Ｓｅｃｕｒｅ  Ｄｉｇｉｔａｌ）カード等の導体部が下方を向いて配置されたカード部材を接続するカード用コネクタに関し、詳しくは、カード部材が載置されるトレイの少なくともカード部材の平面部と平行となる部分を金属材料で形成することでコネクタの小型化及び低背化を図ったカード用コネクタに関する。
【背景技術】
【０００２】
近年、携帯電話等の携帯端末装置では、ＳＩＭカードやＳＤカード等が接続されるカード用コネクタが搭載されており、その中でもカードの出し入れが容易に行えるように各種カードが載置されるトレイが備えられ、このトレイと共にカードの出し入れが行われるいわゆるトレイ式のカード用コネクタが多く用いられている。
【０００３】
トレイ式のカード用コネクタは、カード用コネクタに備えられたソケット本体に別部品として形成されたトレイが追加された構成となり、コネクタ自体の製品高さを低くすることが難しいという課題がある。そのため、この課題を解決するために、下記特許文献１には低背化を目的としたＳＩＭカード用コネクタの発明が開示されている。
【０００４】
下記特許文献１に開示されているＳＩＭカード用コネクタでは、ＳＩＭカードに電気接続された接続基板及び接続基板の両側に形成された案内溝ユニットにより構成されたケースと、ＳＩＭカードを載置する際に、摺動することにより案内溝ユニットに接続されるトレイとを具備し、トレイは、強度を向上させるために金属製であり、ＳＩＭカードを載置する底面と、摺動で案内溝ユニットと接続するために底面の縁を曲げて形成された側壁とを有している。このような構成とすることで、下記特許文献１のＳＩＭカード用コネクタによれば、ＳＩＭカードが載置されるトレイの底面は、従来の柔らかい樹脂製のトレイよりも薄く形成されながら、外力に対してより抗することができるとされている。
【先行技術文献】
【特許文献】
【０００５】
【特許文献１】特表２０１１−５１９４６４号公報
【発明の概要】
【発明が解決しようとする課題】
【０００６】
上記特許文献１に開示されたＳＩＭカード用コネクタでは、トレイが金属製とされているが、このコネクタは、ＳＩＭカードの導体部が上方を向いて載置されるいわゆるリバースタイプのトレイを有するコネクタであるので、トレイが金属製とされていてもＳＩＭカードの導体部とトレイとが短絡を起すことはない。
【０００７】
一方、ＳＩＭカードの導体部が下方を向いて載置されるいわゆるノーマルタイプのトレイを有するコネクタの場合、トレイを金属製とすると、金属製のトレイの一部でＳＩＭカードの導体部を支持することとなり、トレイの支持する部分がＳＩＭカードの導体部と接触して短絡を起してしまうおそれがある。そのため、通常、ノーマルタイプのトレイは絶縁性の樹脂材料で形成されている。しかしながら、トレイを樹脂で形成すると、一定の強度を保つためには樹脂をある程度厚く形成する必要があり、トレイを低背化したり小型化したりすることが困難となり、結果としてコネクタ自体の低背化及び小型化を図ることが困難となる。
【０００８】
本発明は、このような従来技術が抱える課題を解決するためになされたもので、ノーマルタイプのカード用コネクタにおいて、カード部材が載置されるトレイの少なくともカード部材の平面部と平行となる部分を金属材料で形成しても短絡を起すことが抑制され、また、トレイの少なくともカード部材の平面部と平行となる部分が金属材料で形成されることによりトレイを薄く形成することにより、低背化及び小型化を図ったカード用コネクタを提供することを目的とする。
【課題を解決するための手段】
【０００９】
上記課題を解決するために、本発明の第１の態様のカード用コネクタは、一方の面に導体部が形成された平板状のカード部材が前記導体部を下方向にして載置されるトレイと、前記トレイが摺動可能に取り付けられたソケットとを有するカード用コネクタであって、
前記ソケットは、前記導体部と接触される接触部を有する導電性材料で形成されたコンタクトと、前記コンタクトが配設された絶縁性材料で形成されたハウジングと、前記ハウジングが覆われるカバー体で構成され、
前記トレイは、前記ソケット内に取り付けられたとき、前記カバー体側に配置される平面部と、前記平面部の前記トレイの摺動方向に沿った両端部から屈曲されて設けられた一対の側面部と、前記側面部の前記平面部とは反対側の各端部から前記平面部と対向し、前記側面部に沿って設けられ前記カード部材の一方の面が支持される一対の支持部とで構成され、少なくとも前記平面部及び前記支持部が金属材料で形成されており、
前記ハウジングには、前記一対の支持部が嵌り込むことができる溝部が形成されていることを特徴とする。
【００１０】
また、第２の態様のカード用コネクタは、第１の態様のコネクタにおいて、前記トレイの一対の側面部は、前記カード部材が前記支持部に支持されたとき、前記カード部材と前記支持部との間にわずかな隙間が形成される厚さに形成されていることを特徴とする。
【００１１】
また、第３の態様のカード用コネクタは、第１又は２の態様のコネクタにおいて、前記コンタクトは、前記カード部材が前記ソケットに載置されたとき、前記カード部材を上方へ押圧する弾性力を有していることを特徴とする請求項１に記載のカード用コネクタ。
【００１２】
また、第４の態様のカード用コネクタは、第１〜３のいずれかの態様のコネクタにおいて、前記トレイの前記側面部の奥側の外面には、それぞれ第１係止部が形成され、
前記ソケット内には、前記トレイの第１係止部が係止される第２係止部が形成され、
前記トレイが前記ソケットから引き出されたとき、前記トレイの第１係止部と前記ソケットの第２係止部が係止されて前記トレイの摺動距離が規制されており、
前記トレイの手前側は、開放されていることを特徴とする。
【００１３】
また、第５の態様のカード用コネクタは、第１〜４のいずれかの態様のコネクタにおいて、前記トレイの前記カード部材が挿入される側とは反対側には、前記カード部材の挿入が規制される壁部が形成されていることを特徴とする。
【００１４】
また、第６の態様のカード用コネクタは、第１〜５のいずれかの態様のコネクタにおいて、前記トレイの周囲は、樹脂材料により覆われていることを特徴とする。
【００１５】
また、第７の態様のカード用コネクタは、第１〜６のいずれかの態様のコネクタにおいて、前記トレイの前記平面部の手前側は、前記トレイに載置される前記カード部材の一部が露出される切れ込み部が形成されていることを特徴とする。
【００１６】
また、第８の態様のカード用コネクタは、第１〜７のいずれかの態様のコネクタにおいて、前記トレイの前記カード部材が挿入される側の前記側面部の端部には、前記トレイを引き出すための取っ手部が形成されていることを特徴とする。
【発明の効果】
【００１７】
第１の態様のカード用コネクタよれば、ハウジングにトレイに形成されたカードを支持する支持部が嵌り込む溝部が形成されているので、トレイに載置されたカード部材をソケットに挿入したとき、トレイの支持部がハウジングの溝部に嵌り込むようになる。そのため、トレイの少なくともカード部材の平面部と平行となる部分である平面部及び支持部が金属材料で形成されていたとしても、カード部材とコンタクトが接触したとき、トレイの金属材料で形成された支持部がカード部材の導体部と接触することが抑制されるので、短絡を抑制することができる。さらに、トレイの少なくともカード部材の平面部と平行となる部分が金属材料で形成されていることで、トレイを薄く形成しても高強度とし得るため、カード用コネクタの低背化を図ることができる。
【００１８】
また、第２の態様のカード用コネクタによれば、カード部材がソケットに載置されたとき、カード部材の導体部とハウジングの溝部に嵌り込んだトレイの支持部との間にわずかな隙間ができるため、より短絡を抑制することができる。また、トレイの支持部はハウジングの溝部に嵌り込んでいるので、ソケットの上部から圧力が加えられても、カード部材の導体部が支持部に接触するおそれがないため、短絡を抑制することができる。
【００１９】
また、第３の態様のカード用コネクタによれば、カード部材がソケットに載置されたとき、コンタクトにより上方の平面部側に押圧されため、カード部材の導体部とトレイの支持部との間の隙間がより確実にでき、より短絡を抑制することができる。
【００２０】
また、第４の態様のカード用コネクタによれば、トレイがソケットから取り外しできない構成とすることで、従来例のようにカード部材を安定して配置させる壁等をトレイの手前側に形成しなくても、トレイ自体が安定することで、カード部材を安定して載置させることができるようになる。また、トレイにこの壁等を形成しなくもよいためトレイを小型にすることができ、よりカード用コネクタを小型にすることができる。さらに、トレイの手前側を開放しこの開放された部分からカード部材の抜き差しを行うことができるようになり、カード部材の挿入が容易に行うことができる。また、トレイがソケットから取り外しできない構成とすることで、トレイが紛失するおそれがなくなる。
【００２１】
また、第５の態様のカード用コネクタによれば、トレイに挿入されるカード部材が壁部により挿入が止められるため、カード部材を所定の位置に配置することが容易になる。また、カード部材を押圧することで、トレイごとソケット内に押し込むことができ、カード部材及びトレイの挿入が容易に行うことができる。
【００２２】
また、第６の態様のカード用コネクタによれば、使用者の手に触れるトレイの周囲が樹脂材料で覆われているので、使用者が金属の端部で負傷することを抑制することができる。
【００２３】
また、第７の態様のカード用コネクタによれば、トレイの平面部に切れ込み部が形成され、この部分からカード部材の一部が露出していることにより、この露出した部分のカード部材を把持することができるようになるので、カード部材を取出しやすくなる。
【００２４】
また、第８の態様のカード用コネクタによれば、トレイの引き出しが容易となる
【図面の簡単な説明】
【００２５】
【図１】実施形態１のカード用コネクタ及びカード部材の斜視図である。
【図２】実施形態１のソケット及びトレイの斜視図である。
【図３】実施形態１のハウジング及びコンタクトの斜視図である。
【図４】実施形態１のトレイの斜視図である。
【図５】図５Ａはトレイにカード部材を載置させた状態の上方からの斜視図であり、図５Ｂは下方からの斜視図である。
【図６】図６Ａ〜図６Ｃはコネクタにカード部材を装着させる工程を示した斜視図である。
【図７】図７Ａは図６ＣのVIIA部のカード部材を省略した部分拡大図であり、図７Ｂは図６ＣのVIIB部のカード部材を省略した部分拡大図である。
【図８】図６ＣのVIII方向からみた部分拡大図である。
【発明を実施するための形態】
【００２６】
以下、図面を参照して本発明の実施形態を説明する。ただし、以下に示す実施形態は、本発明の技術思想を具体化するためのカード用コネクタを例示するものであって、本発明をこれに特定することを意図するものではなく、特許請求の範囲に含まれるその他の実施形態のものにも等しく適応し得るものである。
【００２７】
［実施形態１］
図１〜図８を参照して、実施形態１のカード用コネクタ（以下、単に「コネクタ」という。）１０について説明する。コネクタ１０は、図１及び図２に示すように、平板状のカード部材４１が載置されるトレイ２９と、トレイ２９が摺動可能に取付けられるソケット１１とで構成され、不図示の基板等に実装されて用いられる。なお、実施形態１のコネクタ１０では、カード部材４１は一方の面に導体部４２が形成されており、この導体部４２が下方を向いてトレイ２９に載置されるいわゆるノーマルタイプのコネクタである。なお、以下においては、コネクタにカード部材が挿入される側を手前側とし、その反対側を奥側とする。
【００２８】
まず、図１〜３を参照して実施形態１のソケット１１について説明する。ソケット１１は、導電性材料で形成される複数のコンタクト１８と、コンタクト１８が装着された絶縁性材料で形成されたハウジング１３と、このハウジング１３が覆われるカバー体とで構成され、一方にトレイ２９が摺動されて出し入れされるような開口部１２が形成されている。
【００２９】
ハウジング１３は、図３に示すような略方形状の平板体に構成された絶縁性の樹脂材料で形成されている。この平板体のトレイ２９の摺動方向に沿った両端辺には、一部に切欠き１５ａが設けられた立設部１５を有しており、この立設部１５の外側には複数の突起１６が形成されている。この切欠き１５ａ及び突起１６は、後述するカバー体２１との装着に用いられる。
【００３０】
また、ハウジング１３には、後述するコンタクト１８が配設されたときコンタクト１８の一部が突出される複数の開口１４が形成されている。さらに、ハウジング１３の両端辺側には、他の部分のハウジング１３の厚さよりも薄く形成された溝部１７がそれぞれ形成されている。この溝部１７は、後述するトレイ２９の一対の支持部３５、３６が嵌り込むことができる形状及び深さに形成されている。
【００３１】
コンタクト１８は、図３に示すように、カード部材４１に設けられた複数に区分けされた導体部４２と接触される接触部１９と、コネクタ１０が基板等に実装されたとき基板と接続される接続部２０とを有し、各接触部１９及び接続部２０と不図示のコンタクト本体とで一体に導電性材料で形成され、ハウジング１３と一体にモールド成形されている。ハウジング１３の開口１４から突出されているコンタクト１８の接触部１９は、それぞれが弾性変形されるように形成されており、ソケット１１に装着されたカード部材４１により変形されるのに抗して、カード部材４１を上方に押圧されるようになる。また、接続部２０はハウジング１３の一方の端面から突出されて設けられている。
【００３２】
カバー体２１は、図１及び図２に示すように、ハウジング１３と対向するように設けられた平板状の上面２２と、この上面２２のトレイ２９の摺動方向に沿った両端辺が屈曲されて形成された側面２３、２４とを有している。一対の側面２３、２４には、前述したハウジング１３の立設部１５に形成された切欠き１５ａ及び突起１６と対応するように、延設部２６及び係合孔２７が形成されている。
【００３３】
また、カバー体２１のトレイ２９が出入りする側と反対側には、上面２２の一部が延設され下方に垂下された垂下部２８が形成されている。この垂下部２８はトレイ２９が挿入されたとき、トレイ２９が行き過ぎないように規制する部分となる。さらに、カバー体２１の延設部２６及び垂下部２８の底部は、コネクタ１０が基板に実装されたとき、基板と半田等で固定される部分ともなり、コネクタの実装を強固にすることができる。また、ソケット１１の開口部１２と近接するカバー体２１の両側面２３、２４には、突起状の第２係止部２５がそれぞれ形成されている。なお、カバー体は金属材料で形成されている。
【００３４】
次に、図４及び図５を参照してトレイ２９について説明する。トレイ２９は、カード部材４１をコネクタ１０に装着させる際にカード部材４１を載置させ、カード部材４１をソケット１１から出し入れするためのものである。
【００３５】
トレイ２９は、ソケット１１に載置されたとき、上側に配置される平面部３０と、この平面部３０のトレイ２９の摺動方向に沿った両端部から屈曲されて設けられた一対の側面部３２、３３と、この側面部３２、３３の下方から平面部３０と対向するように平行に設けられた一対の支持部３５、３６とで構成されており、これらは金属材料で一体に形成されており、側面部３２、３３は後述する樹脂等で形成された保護部で覆われている。
【００３６】
平面部３０は、トレイ２９の本体となる部分であり、面積の大きな板状体で形成されている。また、平面部３０の手前側、すなわちカード部材４１が挿入される側には、カード部材４１を抜き取りやすいように切り欠き部３１が形成されている。このトレイ２９がソケット１１に取付けられたとき、トレイ２９の平面部３０がソケット１１のカバー体２１の上面２２側に配置される。
【００３７】
側面部３２、３３は、平面部３０の一対の端辺から屈曲して形成されており、トレイ２９に載置されるカード部材４１の厚さに比べわずかに厚く形成されている。すなわち、トレイ２９にカード部材４１が載置されたとき、後述する支持部３５、３６とカード部材４１との間にわずかな隙間が形成されるように側面部３２、３３が形成される。また、側面部３２、３３の奥側、すなわちカード部材４１が挿入される側と反対側には、ソケット１１のカバー体２１に形成された突起状の第２係止部２５と係止される窪み状の第１係止部３４が形成されている。
【００３８】
支持部３５、３６は、トレイ２９にカード部材４１が載置されたとき、カード部材４１の導体部４２を支持する部分となり、側面部３２、３３の下側から平面部３０と対向して屈曲して設けられた一対の細板体で形成されている。支持部３５、３６は、側面部３２、３３に沿って形成されており、ハウジング１３のコンタクト１８が設けられた部分に掛からないように形成されている。支持部３５、３６の形状は、カード部材４１が支持できる大きさ及び形状であれば、図５Ｂに示した形状以外でも、ハウジング１３に形成された溝部１７に嵌り込む形状に形成することができる。
【００３９】
なお、トレイ２９の奥側にはカード部材４１が挿入されたときに、カード部材４１の挿入が規制される壁部３７が側面部３２、３３及び平面部３０から延設されて形成されている。また、トレイ２９の手前側には、ソケット１１に挿入されたトレイ２９を引き抜きやすくするための取っ手部３８が側面部３２、３３の少なくとも一方に立設されている。さらに、トレイ２９の手前側はカード部材４１が挿入できるように開放された開放部４０が設けられている。
【００４０】
なお、実施形態１のトレイ２９は金属材料で形成されているので、使用者がトレイ２９の側面部３２、３３、手前側及び奥側等に触れて怪我すること等を抑制するために、樹脂等で形成された保護部３９で覆われている。この保護部３９は、金属で作成されたトレイを樹脂等でモールド成形して形成される。また、この保護部３９は樹脂等で形成されているが、その目的は使用者の保護にあるため極薄く形成されていればよく、トレイの低背化にはほとんど影響を与えない。
【００４１】
次に、主に図６〜図８を参照してコネクタ１０へのカード部材４１の装着と取り外しについて説明する。まず、コネクタ１０へのカード部材４１の装着については、図６Ａに示すように、コネクタ１０のソケット１１からトレイ２９を引き出す。このとき、実施形態のコネクタ１０は、いわゆるノーマルタイプのトレイ２９が用いられたコネクタ１０であるので、カード部材４１の導体部４２が下方を向くようにして用意する。
【００４２】
次に、図６Ｂに示すように、カード部材４１をトレイ２９の手前側が開放された開放部４０から挿入する。このとき、カード部材４１はトレイ２９の支持部３５、３６の上に載置された状態であるので、カード部材４１の導体部４２とトレイ２９の支持部３５、３６は接触した状態である（図５Ｂ参照）。なお、このときはコネクタ１０には通電されていないので、カード部材４１とトレイ２９とが短絡することはない。また、トレイ２９の奥側には壁部３７が形成されているので、カード部材４１は壁部３７と当接することで挿入が規制され、定位置に配置されることになる（図５Ａ、図５Ｂ参照）。
【００４３】
その後、図６Ｃに示すように、ソケット１１内にカード部材４１及びトレイ２９を押し込み、ソケット１１に装着させる。このとき、ソケット１１のカバー体２１の奥側に形成された垂下部２８によりトレイ２９の挿入が規制されて定位置に配置されることになる。そして、トレイ２９に形成された支持部３５、３６はハウジング１３に形成された溝部１７に嵌り込み（図７Ａ、図７Ｂ参照）、また、カード部材４１はハウジング１３に設けられたコンタクト１８の接触部１９と導体部４２が接触することによって、カード部材４１が上方へ押し上げられるため、図８に示すようにカード部材４１とトレイ２９の支持部３５、３６との間に隙間４３が設けられることになる。
【００４４】
このようにすることで、ノーマルタイプのトレイ２９を金属材料で形成してもカード部材４１との短絡を抑制できるようになる。さらに、トレイ２９を金属材料で形成することができるようになるため、トレイの厚さを薄く形成することができ、結果として、コネクタの低背化を図ることができる。なお、トレイは少なくともカード部材の平面部と平行となる部分、すなわち実施形態１では平面部及び支持部が金属材料で形成されることでトレイを薄く形成することができ、コネクタの低背化を図ることができる。
【００４５】
また、コンタクト１８の接触部１９にカード部材４１が接触することにより変形され弾性力が発生するようにしておくことで、カード部材４１とトレイ２９の支持部３５、３６との隙間をより確実に設けることができるようになる。
【００４６】
次に、コネクタ１０からカード部材４１の取り外しについて説明する。カード部材４１をコネクタ１０から取り外す場合は、まず、図６Ｃに示すようにコネクタ１０に挿入されたトレイ２９をカード部材４１が載置された状態のまま引き抜く。すなわち、トレイ２９の手前側の側面部３２に設けられた取っ手部３８を指等で引っ掛けて引き抜き、図６Ｂに示すような状態にする。その後、カード部材４１の手前側を指等で摘み、そのまま引き抜くことでカード部材４１の取り外しが行われる（図６Ａ参照）。このとき、トレイ２９の平面部３０には手前側に切り込み部３１が設けられているので、カード部材４１が露出され、引く抜きやすくなっている。
【００４７】
さらに、実施形態１のコネクタ１０では、トレイ２９はソケット１１から抜けない構造となっている。すなわち、ソケット１１からトレイ２９を引き抜こうとしたとき、ソケット１１のカバー体２１に形成された第２係止部２５とトレイ２９の側面部３２、３３に形成された第１係止部３４とが係止されることで、トレイ２９はソケット１１から抜けなくなる。このようにすることで、従来、カード部材４１を安定して配置させる壁等をトレイ２９の手前側に形成しなくても、トレイ自体が安定するためカード部材４１を問題なく載置させることができる。また、トレイ２９にこの壁等を形成しなくもよいため、トレイ２９を小型にすることができ、よりコネクタ１０を小型にすることができる。さらに、トレイ２９の手前側を開放し、この開放された部分からカード部材４１の抜き差しを容易に行うことができるようになる。また、トレイ２９の紛失を抑制することができる。
【符号の説明】
【００４８】
１０：コネクタ
１１：ソケット
１２：開口部
１３：ハウジング
１４：開口
１５：立設部
１５ａ：切欠き
１６：突起
１７：溝部
１８：コンタクト
１９：接触部
２０：接続部
２１：カバー体
２２：上面
２３、２４：側面
２５：係止部
２６：延設部
２７：係合孔
２８：垂下部
２９：トレイ
３０：平面部
３１：切り欠き部
３２、３３：側面部
３４：係止部
３５、３６：支持部
３７：壁部
３８：手部
３９：保護部
４０：開放部
４１：カード部材
４２：導体部
４３：隙間
【図１】
2013222629.tif 000003
【図２】
2013222629.tif 000004
【図３】
2013222629.tif 000005
【図４】
2013222629.tif 000006
【図５】
2013222629.tif 000007
【図６】
2013222629.tif 000008
【図７】
2013222629.tif 000009
【図８】
2013222629.tif 000010